(57)【要約】【課題】ペダル本体に対する踏み込み部の左右方向における固定位置を変更することができるペダル方式の開閉蓋を有するゴミ箱を提供すること。【解決手段】踏み込み部２の固定位置を変更できるペダル１０を有するゴミ箱２０であって、ペダル１０は、所定の幅寸法を有し前後方向に延びるペダル本体１と、ペダル本体１の前部において前後方向に回動自在に付設される薄底枠状の踏み込み部２とを有し、ペダル本体１の前部には、踏み込み部２の第１係止部２５と回動自在に係止する第３係止部１２１と、踏み込み部２が倒伏状態において踏み込み部の第２係止部２６と係止し、踏み込み部が起立状態において第２係止部２６との係止が外れる第４係止部１２２と、を有し、第１係止部２５と第２係止部２６は、踏み込み部２の裏面に付設される。【選択図】図１０
2019085218.tif 000002
【特許請求の範囲】
【請求項１】
ペダル本体に対する踏み込み部の左右方向における固定位置を変更できるペダルを有するゴミ箱であって、
該ペダルは、所定の幅寸法を有し前後方向に延びるペダル本体と、
該ペダル本体の前部において前後方向に回動自在に付設される薄底枠状の踏み込み部とを有し、
該ペダル本体の前部には、該踏み込み部の第１係止部と回動自在に係止する第３係止部と、該踏み込み部が倒伏状態において該踏み込み部の第２係止部と係止し、該踏み込み部が起立状態において該第２係止部との係止が外れる第４係止部と、を有し、
該第１係止部と第２係止部は、該踏み込み部の裏面に付設されることを特徴とするゴミ箱。
【請求項２】
該踏み込み部は、前方側板、天板及び左右側板を有し、該第１係止部は、該左右側板間で且つ該左右側板の後部側において差渡しで付設される丸棒部材であることを特徴とする請求項１記載のゴミ箱。
【請求項３】
該ペダル本体の前部は、該第３係止部と該第４係止部が付設される係止頭部であり、該第３係止部は、該係止頭部の後端に形成される係止凹部であることを特徴とする請求項１又は２記載のゴミ箱。
【請求項４】
該第４係止部は、該係止頭部の上面に左右方向に等ピッチで複数形成される前後方向に延びる縦溝であることを特徴とする請求項３記載のゴミ箱。
【請求項５】
該第２係止部は、該踏み込み部の裏面で、且つ該第１係止部より前方側に、且つ左右方向に等ピッチで複数形成される前後方向に延びる板状突起であることを特徴とする請求項１〜４のいずれか１項に記載のゴミ箱。
【請求項６】
該踏み込み部が起立状態において該第２係止部と該第４係止部の係止が外れ、該踏み込み部は、該ペダル本体に対して左右方向に移動自在であることを特徴とする請求項１〜５のいずれか１項に記載のゴミ箱。
【請求項７】
該係止頭部の前端面に、第５係止部に嵌る小突起状の第６係止部を付設したことを特徴とする請求項１〜６のいずれか１項に記載のゴミ箱。
【請求項８】
該踏み込み部の該左右側板間で且つ該第２係止部の前方側において差渡しで付設される板状壁に、左右方向に等ピッチで複数形成される貫通孔である該第５係止部を付設したことを特徴とする請求項７記載のゴミ箱。 
【発明の詳細な説明】
【技術分野】
【０００１】
本発明は、踏み込み部の左右方向における固定位置の変更が可能なペダル方式の開閉蓋を有するゴミ箱に関するものである。
【背景技術】
【０００２】
従来、ペダル方式の開閉蓋を有するゴミ箱は、種々提案されている。米国特許４８６５２１４には、上部開口部を有する容器と、容器に取り付けられ、旋回軸の周りを旋回して上部開口部を開閉する蓋と、蓋を回動自在とする機構が設けられている。この機構は、ペダルと、蓋と一体に結合された蓋フランジと、ペダルと蓋フランジとを相互に連結するロッド連結体とを有する。また、蓋フランジは、その厚さを通して形成された細長い孔を有する。細長い孔は、チャネルと、その両端に位置する２つの拡大部とを有する。このゴミ箱によれば、ペダルを踏むことで、ペダルが回動して後方端部が上方へ動き、ロッド連結体を押し上げ、これによりロッド連結体の上端部が、チャネルを通って２つの拡大部の内のひとつに係止することで、蓋フランジが回動し、これに伴い蓋が開くものである。
【先行技術文献】
【特許文献】
【０００３】
【特許文献１】米国特許４８６５２１４号公報
【発明の開示】
【発明が解決しようとする課題】
【０００４】
しかしながら、ペダル方式の開閉蓋を有するゴミ箱は、ペダルの設置位置は固定されており、変更することはできない。この場合、例えば、部屋の左壁に左側板が近接して設置されるゴミ箱においてペダルを踏む場合、ペダルの右側面が使用者の立つ位置となり、右壁に右側板を近接して設置されるゴミ箱においてペダルを踏む場合、ペダルの左側面が使用者の立つ位置となり、それぞれペダルを踏む場合、踏みづらく、また、片あたりとなり、ゴミ箱が転倒するという問題があった。
【０００５】
従って、本発明の目的は、ペダル本体に対する踏み込み部の左右方向における固定位置を変更することができるペダル方式の開閉蓋を有するゴミ箱を提供することにある。
【課題を解決するための手段】
【０００６】
かかる実情において、本発明者は鋭意検討を行った結果、踏み込み部の左右方向における固定位置の変更が可能なペダルであれば、ゴミ箱の設置方向（設置位置）に拘らず、ペダルに対峙する位置に近い場所にペダルの踏み込み部を移動させれば、踏みやすくなることを見出し、本発明を完成するに至った。
【０００７】
すなわち、本発明は、ペダル本体に対する踏み込み部の左右方向における固定位置を変更できるペダルを有するゴミ箱であって、該ペダルは、所定の幅寸法を有し前後方向に延びるペダル本体と、該ペダル本体の前部において前後方向に回動自在に付設される薄底枠状の踏み込み部とを有し、該ペダル本体の前部には、該踏み込み部の第１係止部と回動自在に係止する第３係止部と、該踏み込み部が倒伏状態において該踏み込み部の第２係止部と係止し、該踏み込み部が起立状態において該第２係止部との係止が外れる第４係止部と、を有し、該第１係止部と第２係止部は、該踏み込み部の裏面に付設されることを特徴とするゴミ箱を提供するものである。
【０００８】
また、本発明は、該踏み込み部は、前方側板、天板及び左右側板を有し、該第１係止部は、該左右側板間で且つ該左右側板の後部側において差渡しで付設される丸棒部材であることを特徴とする前記ゴミ箱を提供するものである。
【０００９】
また、本発明は、該ペダル本体の前部は、該第３係止部と該第４係止部が付設される係止頭部であり、該第３係止部は、該係止頭部の後端に形成される係止凹部であることを特徴とする前記ゴミ箱を提供するものである。
【００１０】
また、本発明は、該第４係止部は、該係止頭部の上面に左右方向に等ピッチで複数形成される前後方向に延びる縦溝であることを特徴とする前記ゴミ箱を提供するものである。
【００１１】
また、本発明は、該第２係止部は、該踏み込み部の裏面で、且つ該第１係止部より前方側に、且つ左右方向に等ピッチで複数形成される前後方向に延びる板状突起であることを特徴とする前記ゴミ箱を提供するものである。
【００１２】
また、本発明は、該踏み込み部が起立状態において該第２係止部と該第４係止部の係止が外れ、該踏み込み部は、該ペダル本体に対して左右方向に移動自在であることを特徴とする前記ゴミ箱を提供するものである。
【００１３】
また、本発明は、該係止頭部の前端面に、第５係止部に嵌る小突起状の第６係止部を付設したことを特徴とする前記ゴミ箱を提供するものである。
【００１４】
また、本発明は、該踏み込み部の該左右側板間で且つ該第２係止部の前方側において差渡しで付設される板状壁に、左右方向に等ピッチで複数形成される貫通孔である該第５係止部を付設したことを特徴とする前記ゴミ箱を提供するものである。
【発明の効果】
【００１５】
本発明によれば、ペダル本体に対する踏み込み部の左右方向における固定位置を変更できる。例えば、ペダル本体に対する踏み込み部が左右方向の中心部にあるゴミ箱をゴミ箱の左側板が部屋の左壁面に近接するように設置した場合、踏み込み部を起立させ、使用者の立ち位置である手前（右側）にスライドさせて、倒伏させれば、踏み込み部が手前（右側）にくる。このため、使用者の立ち位置から踏み込み易くなる。すなわち、本発明のゴミ箱によれば、ゴミ箱の設置位置に応じて踏み込み易い位置に、踏み込み部を位置させることができる。
【図面の簡単な説明】
【００１６】
【図１】本発明の実施の形態におけるゴミ箱の斜視図である。
【図２】図１のゴミ箱の他の斜視図である。
【図３】図１のゴミ箱の分解斜視図である。
【図４】図１のゴミ箱で使用するペダルの分解斜視図である。
【図５】図４のペダルの裏面を見た分解斜視図である。
【図６】図１のゴミ箱の踏み込み部の裏側から見上げた斜視図である。
【図７】図６のＸ−Ｘ線に沿って見た断面図である。
【図８】図１のペダルの係止頭部の拡大断面図である。
【図９】図８のペダルの係止頭部の拡大平面図である。
【図１０】図１のペダルの踏み込み部が起立状態の斜視図である。
【図１１】図１０の踏み込み部が倒れる途中の斜視図である。
【図１２】図１１の踏み込み部が倒伏した状態の斜視図である。
【図１３】図１２のペダルの第２係止部と第４係止部の係止関係を説明する図である。
【図１４】図１２のペダルの第１係止部と第３係止部の係止関係及び第５係止部と第６係止部の係止関係を説明する図である。
【図１５】踏み込み部の固定位置を左側に変更する方法を説明する斜視図である。
【図１６】図１５の踏み込み部が倒れる途中の斜視図である。
【図１７】図１６の踏み込み部が倒伏した状態の斜視図である。
【図１８】図１７のペダルの第２係止部と第４係止部の係止関係を説明する図である。
【図１９】踏み込み部の固定位置を右側に変更する方法を説明する斜視図である。
【図２０】図１９の踏み込み部が倒れる途中の斜視図である。
【図２１】図１９の踏み込み部が倒伏した状態の斜視図である。
【図２２】図１９のペダルの第２係止部と第４係止部の係止関係を説明する図である。
【発明を実施するための形態】
【００１７】
本発明のゴミ箱は、ペダル本体に対する踏み込み部の左右方向における固定位置の変更が可能なペダルを有するものであり、ペダル以外は、シーソー動きの公知のペダル方式のゴミ箱が使用できる。従って、ゴミ収納容器本体の上部開口を開閉する蓋としては、片開きの１枚蓋、及び一対の蓋による両開き扉のいずれであってもよい。また、ゴミ収納容器本体の開口の形状としては、四角形、円形、楕円形及び不定形のいずれであってもよい。
【００１８】
次に、本発明の実施の形態におけるゴミ箱を図１〜図２２を参照して説明する。本明細書において、「左右」および「前後」は、特に説明がない場合、ペダルを正面側として見た方向を言う。ゴミ箱２０は、上部開口のゴミ収容容器本体３と、ゴミ収容容器本体３の下に、シーソー状に回動可能に付設されるペダル１０と、ゴミ収容容器本体３の上部開口に左右両開きに開閉自在に付設される一対の蓋４（４ａ、４ｂ）と、ゴミ収容容器本体３の後ろ側において、ペダル１０の後方端２３と一対の蓋４を連結する連結体５と、を有する。ゴミ収納容器３において、開いた扉２の上部開口からゴミが投入される。
【００１９】
ゴミ収納容器本体３は、容器本体を有し、容器本体の上端の前後辺部には、容器本体から上方に延びる高さが蓋の厚みと略同じの上部前後起立壁３１ａ、３１ｂが形成されている。また、上部前後起立壁３１ａ、３１ｂの内側で、且つ左右端部には、蓋４の係止凸部４１が係止する係止凹部（都合４箇所）３２が形成されている。これにより、係止凹部３２には、蓋４に付設された係止凸部４１が係止し、蓋４の左右開閉を自在にすると共に、上部前後起立壁３１ａ、３１ｂ間に蓋４が設置されることになる。また、容器本体の背面板の後ろ側および底板の裏側には、ペダル本体１と連結体５が通るＬ字断面の空間（切り欠き部）が形成されている。これにより、連結体５の係止丸棒部５３、５３が蓋４ａ、４ｂの裏面に形成される係止突起６、６の係止孔６１、６１に係止できる。また、容器本体の背面板の上部には、連結体５が通る貫通孔３３が形成されている（図３参照）。また、容器本体の底部には、ペダル本体１を回動自在に支持する軸が通る軸孔が形成されている。
【００２０】
一対の蓋２は、板状体の左蓋と、平面から見て同形状の右蓋であり、左蓋は、ゴミ収容容器本体３の上端近傍で、正面視で反時計周りに回動自在に付設され、右蓋は、ゴミ収容容器本体３の上端近傍で、正面視で時計周りに回動自在に付設されるものである。また、ゴミ収容容器本体３の後ろ側寄りの蓋４の裏面で且つ左右方向の外側寄りには、連結体５の係止丸棒部５３が係止する係止孔６１を有する係止突起６がそれぞれ形成されている。
【００２１】
連結体５は、ペダル１０と蓋４を連結するものであり、ペダル１０を踏むことで、連結体５が上方に持ち上がり、蓋４が両開きとなり、ペダル５の踏み込みを解除することで、連結体５が下方に下がり、蓋４が閉じることになる。すなわち、連結体５は、下端がペダル１０の後方端１３と回動自在に接続する略起立状の縦部５２と、ゴミ収容容器本体３の前方向に延びる係止丸棒部５３とを有するものであり、本例では、２つの縦丸棒部５２１と、縦丸棒部５２１の下端同士を接続する横丸棒部５１とからなる縦長Ｕ字形状の縦部５２と、縦部５２の上端に連接する上部横丸棒部５４と、上部横丸棒部５４の両端から屈曲して前方に延出する係止丸棒部５３、５３とを有する。すなわち、連結体４はロッドで構成されている。
【００２２】
ゴミ箱２０において、ペダル１０は、所定の幅寸法を有し前後方向に延びるペダル本体１と、ペダル本体１の前部において前後方向に回動自在に付設される薄底枠状の踏み込み部２とを有し、ペダル本体１の前部には、踏み込み部２の第１係止部２５と回動自在に係止する第３係止部１２１と、踏み込み部２が倒伏状態において踏み込み部２の第２係止部２６と係止し、踏み込み部２が起立状態において第２係止部２６との係止が外れる第４係止部１２２と、を有し、第１係止部２５と第２係止部２６は、踏み込み部２の裏面に付設される。
【００２３】
ペダル１０において、踏み込み部２は、前方側板２３、天板２１及び左右側板２２を有し、第１係止部２５は、左右側板２２、２２間で且つ左右側板２２、２２の後方側において差渡しで付設される丸棒部材２５である。一方、ペダル本体１の前部は、第３係止部１２１と第４係止部１２２が付設される略四角柱状の係止頭部１２であり、第３係止部１２１は、係止頭部１２の後端に形成される係止凹部である。係止凹部は、本例では、後方側に開口が向いた半円断面の形状である。
【００２４】
第３係止部１２１が形成される係止頭部１２の上面には、第４係止部１２２である、左右方向に等ピッチで複数形成される前後方向に延びる縦溝１２２が形成されている。縦溝１２２は、本例では、四角形断面形状の溝であって、ピッチ（ｐ１）で左右方向に３つの溝１２２ａ〜１２２ｃである。縦溝１２２ａ〜１２２ｃは、係止する第２係止部２６の形状に対応する形状である。また、縦溝１２２ａ〜１２２ｃは、係止頭部である略四角柱状体に切り込みを入れて形成されており、それにより、４つの小さなブロック体が得られる。４つのブロック体中、両側の小ブロック体１２４ａ、１２４ｄの幅寸法（ｌ２）は、中央の２つの小ブロック体の１２４ｂ、１２４ｃの幅寸法（ｌ１）よりやや小である（図９参照）。
【００２５】
ペダル１０において、第２係止部２６は、踏み込み部２の裏面で、且つ第１係止部２５より前方側に、且つ左右方向に等ピッチで複数形成される前後方向に延びる板状突起であ
る。すなわち、板状突起の第２係止部２６は、一端が第１係止部２５に近接又は接地しており、前後方向の長さは、縦溝１２２ａ〜１２２ｃの長さに相当するものであり、踏み込み部２の前後方向の中央当たりまでである。第２係止部２６と第４係止部１２２は、踏み込み部２が倒伏状態において、互いに噛み合い、踏み込み部２が起立状態において、その噛み合いが外れ、踏み込み部２がペダル本体１に対して、左右方向に移動自在となる。また、第２係止部２６である３つの板状突起において、隣接する２つの板状突起は、（２ｐ１）離れている。このため、中央の板状突起２６ｂが左端の溝１２２ａに係止すると、右端の溝１２２ｃに右の板状突起２６ｃが係止する。また、中央の板状突起２６ｂが右端の溝１２２ｃに係止すると、左端の溝１２２ａに左の板状突起２６ａが係止する。
【００２６】
ペダル１０において、係止頭部１２の前端面１２５に、第５係止部２７１に嵌る小突起状の第６係止部１２３が付設されている。本例では、中央の２つの小ブロック体の１２４ｂ、１２４ｃの前端面にそれぞれひとつ形成されている。小突起は、上面が前方且つ下方に向けて下り傾斜面を有し、下面が水平面又は若干前方下方に向けて下り傾斜面のものである（図１４参照）。この突起形状であれば、先端が鋭角な突起となり、貫通孔への嵌りが容易で、係止が確実となる。
【００２７】
ペダル１０において、踏み込み部２の左右側板２２、２２間で且つ第２係止部２６の前方側において差渡しで付設される板状壁２７に、左右方向に等ピッチで複数形成される貫通孔である第５係止部２７１が付設されている。第５係止部２７１の貫通孔は、小突起状の第６係止部１２３のピッチと同じピッチで、４つ形成されている。第５係止部２７１と第６係止部１２３は、踏み込み部２が倒伏状態において、互いに係止する。また、倒伏状態の踏み込み部２を起こす際、第５係止部２７１と第６係止部１２３の係止が外れる。
【００２８】
次に、ペダル１０において、踏み込み部２の位置を変更する方法について、図１０〜図２２を参照して説明する。踏み込み部２は、ペダル本体１に対して、中央位置、左寄り位置及び右寄り位置の３箇所の変更が可能である。図１０〜図１４は、踏み込み部２が、ペダル本体１に対して中央に位置する場合である。図１０において、ペダル本体１の係止頭部１２の第３係止部１２１に、踏み込み部２の第１係止部２５が回動自在に取り付けられている。図１０のペダル１０は、踏み込み部２が起立状態であり、第２係止部２６と第４係止部１２２及び第５係止部２７１と第６係止部１２３は、それぞれ係止はしておらず、対応する位置にある。また、踏み込み部２の中央の板状突起（第２係止部）２６ｂが、中央の縦溝（第４係止部）１２２ｂと対峙する位置にある。図１０において、踏み込み部２を足で踏み込むと、図１１のように、踏み込み部２は倒れ、遂には踏み込み部２は倒伏する。この状態において、踏み込み部２の中央の板状突起（第２係止部）２６ｂが、中央の縦溝（第４係止部）１２２ｂに係止し、踏み込み部２の両側の板状突起（第２係止部）２６ａ、２６ｃは、踏み込み部２の両側に位置することになる（図１３）。また、ペダル本体部１の中央の２つの小突起（第６係止部）１２３、１２３は、踏み込み部２の中央の２つの貫通孔（第５係止部）２７１、２７１に係止している（図１０及び図１４）。この状態において、踏み込み部２の板状突起（第２係止部）２６ｂは、縦溝（第４係止部）１２２ｂに係止しており、左右の動きが規制される。このため、図１２の状態において、踏み込み部２は、ペダル本体部１に対して左右方向の移動が規制されており、踏み込みの際、移動したり、ズレたりすることはない。
【００２９】
図１５〜図１８は、踏み込み部２が、ペダル本体１に対して左寄りに位置する場合である。図１２の中央位置の倒伏状態から図１７の左寄りの倒伏状態へ変更する場合、図１２の中央位置の倒伏状態において、踏み込み部２を起こす。これは、足先で踏み込み部２の先端を上方へ押し上げればよい。踏み込み部２が起立すると、第５係止部２７１と第６係止部１２３の係止が外れると共に、踏み込み部２の板状突起（第２係止部）２６ｂと縦溝（第４係止部）１２２ｂの係止が外れる。このため、踏み込み部２はペダル本体１に対して、左右方向に移動自在となる。従って、踏み込み部２をペダル本体１に対して左方向へ移動させる。この移動は、足で行うことができる。ペダル１０において、踏み込み部２の右側板２２ｂが、係止頭部１２の右側面に当接した際、踏み込み部２の板状突起（第２係止部）２６ｂと縦溝（第４係止部）１２２ａが係止対応位置に位置し、板状突起（第２係止部）２６ｃと縦溝（第４係止部）１２２ｃが係止対応位置に位置する（図１５）。この状態において、踏み込み部２を倒伏させる。
【００３０】
この状態において、踏み込み部２の板状突起２６ｂと縦溝１２２ａが係止し、板状突起２６ｃと縦溝１２２ｃが係止する（図１８）。また、ペダル本体部１の中央の２つの小突起（第６係止部）１２３、１２３は、踏み込み部２の右側の２つの貫通孔（第５係止部）２７１、２７１に係止している（図１５）。この状態において、踏み込み部２の板状突起（第２係止部）２６ｂは、縦溝（第４係止部）１２２ａに、踏み込み部２の板状突起（第２係止部）２６ｃは、縦溝（第４係止部）１２２ｃに係止しており、左右の動きが規制される。このため、図１７の状態において、踏み込み部２は、ペダル本体部１に対して左右方向の移動が規制されており、踏み込みの際、移動したり、ズレたりすることはない（図１８）。
【００３１】
図１９〜図２２は、踏み込み部２が、ペダル本体１に対して右寄りに位置する場合である。図１２の中央位置の倒伏状態から図１９の右寄りの倒伏状態へ変更する場合、図１２の中央位置の倒伏状態において、踏み込み部２を起こす。これは、足先で踏み込み部２の先端を上方へ押し上げればよい。踏み込み部２が起立すると、第５係止部２７１と第６係止部１２３の係止が外れると共に、踏み込み部２の板状突起（第２係止部）２６ｂと縦溝（第４係止部）１２２ｂの係止が外れる。このため、踏み込み部２はペダル本体１に対して、左右方向に移動自在となる。従って、踏み込み部２をペダル本体１に対して右方向へ移動させる。この移動は、足で行うことができる。ペダル１０において、踏み込み部２の左側板２２ａが、係止頭部１２の左側面に当接した際、踏み込み部２の板状突起（第２係止部）２６ａと左側の縦溝（第４係止部）１２２ａが係止対応位置に位置し、板状突起（第２係止部）２６ｂと右側の縦溝（第４係止部）１２２ｃが係止対応位置に位置する（図１９）。この状態において、踏み込み部２を倒伏させる。
【００３２】
この状態において、踏み込み部２の板状突起２６ａと縦溝１２２ａが係止し、板状突起２６ｂと縦溝１２２ｃが係止する。また、ペダル本体部１の中央の２つの小突起（第６係止部）１２３、１２３は、踏み込み部２の左側の２つの貫通孔（第５係止部）２７１、２７１に係止している（図１４及び図１９）。この状態において、踏み込み部２の板状突起（第２係止部）２６ａは、縦溝（第４係止部）１２２ａに、踏み込み部２の板状突起（第２係止部）２６ｂは、縦溝（第４係止部）１２２ｃに係止しており、左右の動きが規制される（図２２）。このため、図２１の状態において、踏み込み部２は、ペダル本体部１に対して左右方向の移動が規制されており、踏み込みの際、移動したり、ズレたりすることはない。
【００３３】
本発明は、上記実施の形態例に限定されず、種々の変形を採ることができる。例えば、ペダル本体部１に対する踏み込み部の設置位置の変更は、３箇所に限定されず、２箇所又は４箇所以上であってもよい。この場合、第４係止部の設置個数を４つ以上にし、第５係止部を対応する位置に形成すればよい。なお、本発明において、第５係止部及び第６係止部は任意の構成要素であり、省略することができる。
【産業上の利用可能性】
【００３４】
本発明によれば、部屋の左壁に左側板が近接して設置されるゴミ箱においては、ペダルの踏み込み部を右寄りに設置すれば、立つ位置（右側が正面）側に踏み込み部が突出しており、踏み易い。また、部屋の右壁に右側板が近接して設置されるゴミ箱においては、ペダルの踏み込み部を左寄りに設置すれば、立つ位置（左側が正面）側に踏み込み部が突出しており、踏み易い。このように、本発明のごみ箱は、設置場所の如何に拘わらず、ペダルが踏み易い。このため、ペダル方式の開閉蓋を有するゴミ箱の使い勝ってがよくなる。
【符号の説明】
【００３５】
１    ペダル本体部
２    踏み込み部
３    ゴミ収納容器本体
４    蓋
５    連結体
１０  ペダル
２０  ゴミ箱
２５  第１係止部
２６  第２係止部
１２１  第３係止部
１２２  第４係止部
２７１  第５係止部
１２３  第６係止部 
【図１】
2019085218.tif 000003
【図２】
2019085218.tif 000004
【図３】
2019085218.tif 000005
【図４】
2019085218.tif 000006
【図５】
2019085218.tif 000007
【図６】
2019085218.tif 000008
【図７】
2019085218.tif 000009
【図８】
2019085218.tif 000010
【図９】
2019085218.tif 000011
【図１０】
2019085218.tif 000012
【図１１】
2019085218.tif 000013
【図１２】
2019085218.tif 000014
【図１３】
2019085218.tif 000015
【図１４】
2019085218.tif 000016
【図１５】
2019085218.tif 000017
【図１６】
2019085218.tif 000018
【図１７】
2019085218.tif 000019
【図１８】
2019085218.tif 000020
【図１９】
2019085218.tif 000021
【図２０】
2019085218.tif 000022
【図２１】
2019085218.tif 000023
【図２２】
2019085218.tif 000024